(57)【要約】【課題】ユーザ情報をより効果的に使用することができる技術が求められていた。【解決手段】本開示の第１の観点によれば、第１の通信装置に付与された固有の識別情報である固有識別情報と、第１の通信装置を使用するユーザに関するユーザ情報とを第１の通信装置から受信する受信部と、受信部が受信した固有識別情報とユーザ情報とが関連付けられたクライアント情報を第２の通信装置に送信するクライアント情報提供部と、を備える、情報処理装置が提供される。【選択図】図１
2012216185.tif 000002
【特許請求の範囲】
【請求項１】
第１の通信装置に付与された固有の識別情報である固有識別情報と、前記第１の通信装置を使用するユーザに関するユーザ情報とを前記第１の通信装置から受信する受信部と、
前記受信部が受信した前記固有識別情報と前記ユーザ情報とが関連付けられたクライアント情報を第２の通信装置に送信するクライアント情報提供部と、を備える、情報処理装置。
【請求項２】
前記第２の通信装置から提供されたコンテンツを再生するコンテンツ再生部と、
前記受信部が前記第１の通信装置から送信された前記ユーザ情報を受信した場合に、前記コンテンツに関するコンテンツ情報を前記第１の通信装置に送信するコンテンツ情報提供部と、を備える、請求項１記載の情報処理装置。
【請求項３】
前記コンテンツ情報には、前記第２の通信装置が提供する前記コンテンツの所在を示すアドレス情報が含まれる、請求項２記載の情報処理装置。
【請求項４】
前記受信部が前記第１の通信装置から前記固有識別情報を受信した際に、前記ユーザ情報が前記第２の通信装置に登録されているかを前記第２の通信装置に問い合わせる問い合わせ部と、
前記ユーザ情報が前記第２の通信装置に登録されていない旨の回答が与えられた場合に、前記第１の通信装置に前記ユーザ情報を要求する要求部と、を備える、請求項１記載の情報処理装置。
【請求項５】
前記第１の通信装置から送信された前記ユーザ情報を記憶する記憶部を備え、
前記要求部は、前記ユーザ情報の属性のうち、前記第２の通信装置に未登録の属性に関する情報が前記第２の通信装置からの回答に含まれる場合には、前記未登録の属性のうち、前記記憶部に記憶された前記ユーザ情報の属性以外の属性に関する前記ユーザ情報を前記第１の通信装置に要求する、請求項４記載の情報処理装置。
【請求項６】
前記問い合わせ部は、前記受信部が前記第１の通信装置から前記固有識別情報を受信した時点に関する情報を前記第２の通信装置に送信する、請求項４記載の情報処理装置。
【請求項７】
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信する受信部と、
前記コンテンツを前記第２の通信装置に送信するコンテンツ提供部と、
前記受信部が前記クライアント情報を受信した場合に、前記コンテンツに関するコンテンツ情報を前記第２の通信装置に送信するコンテンツ情報提供部と、を備える、情報処理装置。
【請求項８】
前記コンテンツ情報には、前記コンテンツ提供部が提供する前記コンテンツの所在を示すアドレス情報が含まれ、
前記コンテンツ提供部は、前記第１の通信装置が前記コンテンツにアクセスした場合に、前記コンテンツを前記第１の通信装置が指定した再生装置に送信する、請求項７記載の情報処理装置。
【請求項９】
前記第１の通信装置の前記コンテンツへのアクセス状況に基づいて、前記ユーザに対する前記コンテンツの再生を許可するかを判定する判定部を備え、
前記コンテンツ提供部は、前記コンテンツの再生が許可された場合に、前記第１の通信装置が指定した再生装置に前記コンテンツを送信する、請求項８記載の情報処理装置。
【請求項１０】
第１の通信装置に付与された固有の識別情報である固有識別情報と、前記第１の通信装置を使用するユーザに関するユーザ情報とを前記第１の通信装置から受信することと、
受信された前記固有識別情報と前記ユーザ情報とが関連付けられたクライアント情報を第２の通信装置に送信することと、を含む、情報処理方法。
【請求項１１】
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信することと、
前記コンテンツを前記第２の通信装置に送信することと、
前記クライアント情報を受信した場合に、前記コンテンツに関するコンテンツ情報を前記第２の通信装置に送信することと、を含む、情報処理方法。
【請求項１２】
コンピュータに、
第１の通信装置に付与された固有の識別情報である固有識別情報と、前記第１の通信装置を使用するユーザに関するユーザ情報とを前記第１の通信装置から受信する受信機能と、
前記受信機能が受信した前記固有識別情報と前記ユーザ情報とが関連付けられたクライアント情報を第２の通信装置に送信するクライアント情報提供機能と、を実現させる、プログラム。
【請求項１３】
コンピュータに、
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信する受信機能と、
前記コンテンツを前記第２の通信装置に送信するコンテンツ提供機能と、
前記受信部が前記クライアント情報を受信した場合に、前記コンテンツに関するコンテンツ情報を前記第２の通信装置に送信するコンテンツ情報提供機能と、を実現させる、プログラム。
【発明の詳細な説明】
【技術分野】
【０００１】
本開示は、情報処理装置、情報処理方法、及びプログラムに関する。
【背景技術】
【０００２】
特許文献１には、観覧施設を観覧するユーザに対し、ユーザ情報（年齢、利用目的等）に応じた情報を提供する技術を開示する。特許文献１記載の技術では、まず、ユーザは、携帯端末にユーザ情報を登録する。そして、ユーザは、携帯端末を携行した状態で観覧施設を観覧する。ユーザが展示物の観覧地点に到達すると、観覧地点に設置された固定送受信手段は、展示物を識別するための識別情報を携帯端末に送信する。携帯端末は、携帯端末に予め記憶されている展示物データのうち、識別情報及びユーザ情報に対応する展示物データをユーザに提供する。
【先行技術文献】
【特許文献】
【０００３】
【特許文献１】特開２００２−２５９６１２号公報
【発明の概要】
【発明が解決しようとする課題】
【０００４】
しかし、特許文献１記載の技術では、ユーザは予め観覧施設側が用意した共通の携帯端末を使用するので、ユーザがどのような携帯端末を携行しているのかについては何ら考慮されていなかった。このため、特許文献１記載の技術では、ユーザ情報を効果的に使用することができなかった。そこで、ユーザ情報をより効果的に使用することができる技術が求められていた。
【課題を解決するための手段】
【０００５】
本開示によれば、第１の通信装置に付与された固有の識別情報である固有識別情報と、第１の通信装置を使用するユーザに関するユーザ情報とを第１の通信装置から受信する受信部と、受信部が受信した固有識別情報とユーザ情報とが関連付けられたクライアント情報を第２の通信装置に送信するクライアント情報提供部と、を備える、情報処理装置が提供される。
【０００６】
本開示によれば、第１の通信装置との間で通信が可能で、コンテンツの再生が可能な第２の通信装置から、第１の通信装置に付与された固有の識別情報である固有識別情報と、第１の通信装置を使用するユーザに関するユーザ情報とが関連付けられたクライアント情報を受信する受信部と、コンテンツを第２の通信装置に送信するコンテンツ提供部と、受信部がクライアント情報を受信した場合に、コンテンツに関するコンテンツ情報を第２の通信装置に送信するコンテンツ情報提供部と、を備える、情報処理装置が提供される。
【０００７】
本開示によれば、情報処理装置は、固有識別情報とユーザ情報とが関連したクライアント情報を送信するので、第２の通信装置は、当該クライアント情報を取得することができる。
【０００８】
本開示によれば、情報処理装置は、固有識別情報とユーザ情報とが関連したクライアント情報を取得することができる。また、情報処理装置は、クライアント情報を取得した場合に、コンテンツ情報を第２の通信装置に送信するので、第２の通信装置は、当該コンテンツ情報を取得することができる。
【発明の効果】
【０００９】
以上説明したように本開示によれば、第２の通信装置は、固有識別情報とユーザ情報とが関連したクライアント情報を取得することができるので、固有識別情報及びユーザ情報に応じた処理を行なうことが可能になる。
【００１０】
同様に、本開示によれば、情報処理装置は、第２の通信装置からクライアント情報を取得することができるので、固有識別情報及びユーザ情報に応じた処理を行なうことが可能になる。
【００１１】
このため、本開示によれば、従来よりもユーザ情報を効果的に使用することができる。
【図面の簡単な説明】
【００１２】
【図１】プロモーション活動を説明するための説明図である。
【図２】本開示の第１の実施形態に係るコンテンツ提供システムの構成を示すブロック図である。
【図３】ユーザ端末の構成を示すブロック図である。
【図４】提供側再生装置の構成を示すブロック図である。
【図５】コンテンツ提供装置の構成を示すブロック図である。
【図６】ユーザ側再生装置の構成を示すブロック図である。
【図７】ユーザ端末の表示部に表示される画像の例を示す説明図である。
【図８】ユーザ端末の表示部に表示される画像の例を示す説明図である。
【図９】ユーザ端末の表示部に表示される画像の例を示す説明図である。
【図１０】ユーザ端末の表示部に表示される画像の例を示す説明図である。
【図１１】ユーザ端末の表示部に表示される画像の例を示す説明図である。
【図１２】提供側再生装置が記憶するテーブルの構成を示す説明図である。
【図１３】コンテンツ提供装置が記憶するテーブルの構成を示す説明図である。
【図１４】コンテンツ提供システムによる処理の手順を示すシーケンス図である。
【図１５】コンテンツ提供システムによる処理の手順を示すシーケンス図である。
【図１６】コンテンツ提供システムの利用方法を説明するための説明図である。
【図１７】コンテンツ提供システムの利用方法を説明するための説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．プロモーション活動について
２．コンテンツ提供システムの構成
３．コンテンツ提供システムによる処理の手順
【００１５】
＜１．プロモーション活動について＞
本発明者は、プロモーション活動を検討する過程において、本開示に係る技術を開発するに至った。そこで、プロモーション活動について説明する。
【００１６】
街頭では、販売促進（プロモーション）を目的として、有名なアーティストの最新の曲やプロモーションビデオをはじめとしたさまざまなコンテンツが放送されている。放送の対象が街頭である理由は、多く人が集まる場所である点と、不特定多数の消費者の目や耳に訴えることが容易である点が挙げられる。前者については、試聴する人の絶対数が多ければ多いほど認知度と購入期待度が高まるため、販売促進活動としては当然効果が大きい。後者についても、元々興味のある人然り、今まで興味のなかった人の目や耳にも環境音や大型ディスプレイによる映像にて内容を届けることができるため、潜在的な消費者層を確保できる点で効果がある。一方で、街頭でのプロモーション活動には、ノイズ事象、タイミング事象、アプローチ事象、フィードバック事象といった事象がある。
【００１７】
ノイズ事象は、ユーザが周辺環境によってコンテンツの視聴を妨害されるという事象であり、ユーザがコンテンツを視聴する場所が街頭であるが故の事象である。即ち、ある場所に集まる人が多いほど、その場所は販売促進活動の場所として価値が上がる。しかし、その一方で騒音や視界の遮断による視聴妨害の程度も増す。この様子を図１に示す。図１では、再生装置１００がプロモーション用の画像１０１及び音声１０２を出力しており、ユーザＵが画像１０１及び音声１０２に意識を向けている。音声１０２の一部１０２ａは、ユーザＵに向けて出力されている。しかし、本来ならユーザＵに届くはずの音声１０２ａは、その場にたまたま居合わせた通行人Ｘ１の話し声Ｘ１１によって妨害されてしまう。妨害された音声１０２ａは矢印１０２ｂで示される。このため、ユーザＵは、音声１０２を正確に聞き取ることができない。なお、音声１０２に聞き取りにくさは、スピーカの音量・音質にも依存する。
【００１８】
また、ユーザＵの視線Ｕ１は、本来なら画像１０１に届くはずであるが、たまたま居合わせた通行人Ｘ１２の頭部に遮られてしまい、画像１０１に届かない。通行人Ｘ１２により遮られた視線Ｕ１は、矢印Ｕ２で示される。このため、ユーザＵは、画像１０１を正確に視認することができない。したがって、ユーザＵはコンテンツの視聴に失敗する可能性がある。なお、画像１０１の見難さは、ディスプレイの向き・傾き・明るさにも依存する。
【００１９】
タイミング事象は、ユーザがコンテンツの全体を視聴することができないという事象であり、これもユーザがコンテンツを視聴する場所が街頭であるが故の事象である。即ち、ユーザは、あるコンテンツがいつどこで放送されるかを知ることは困難である。このため、ユーザは、自身の興味がそそられるコンテンツの再生場所に偶然通りがかっても、コンテンツの再生途中に通りがかることが多い。また、ユーザは、その再生場所に偶然通りがかっただけなので、コンテンツを最後まで視聴する時間がない場合が多い。即ち、ユーザは、ユーザがコンテンツの全体を視聴することができない。
【００２０】
アプローチ事象は、ユーザが街頭でコンテンツを視聴し、購入意欲が湧いても、そのコンテンツを購入するのに手間がかかるという事象である。即ち、ユーザは、街頭でコンテンツを視聴しても、上記のノイズ事象やタイミング事象等によって、そのコンテンツのメタ情報を把握できない場合が多い。ここで、メタ情報とは、そのコンテンツの概要であり、例えばコンテンツが楽曲であれば、曲名、アーティスト名等が該当する。このため、ユーザは、目的のコンテンツを購入するためにショップに行っても、コンテンツのメタ情報が不足しているので、目的のコンテンツを探しだすのに非常に手間がかかる。店員にコンテンツの所在を聞くという手段も考えられるが、メタ情報が不足しているので、店員に目的のコンテンツを把握してもらうことは容易でない。
【００２１】
ユーザが目的のコンテンツを購入する手段として、インターネットも考えられるが、この場合にも、やはりメタ情報が不足しているので、同様の事象が発生する。例えば、ユーザは、キーワード検索を正確に行うことができないので、目的のコンテンツを探しだすのに非常に手間がかかる。
【００２２】
フィードバック事象は、コンテンツの提供事業者が、プロモーション活動の成果をその後のプロモーション活動計画にフィードバックしにくいという事象である。例えば、設置場所の異なる複数の再生装置の各々でコンテンツを再生し、それによってそのコンテンツの売上が向上したとしても、コンテンツ提供事業者は、各々の再生装置でのプロモーション活動（コンテンツの再生）が売上にどの程度貢献したのかを判断することができない。なお、再生装置に撮影装置を備えさせておき、再生装置に注目するユーザの顔を撮影装置に撮影させる技術も提案させているが、この技術では、ユーザの顔情報だけしか取得することができないので、ユーザ情報を充分に取得することができない。
【００２３】
本開示に係るコンテンツ提供システムは、上記の事象が生じる可能性を低減することができる。
【００２４】
＜２．コンテンツ提供システムの構成＞
次に、図２等に基づいて、本開示に係るコンテンツ提供システム１の構成を説明する。図２に示すように、コンテンツ提供システム１は、ユーザ端末２０（第１の通信装置）と、提供側再生装置３０（情報処理装置、第２の通信装置）と、コンテンツ提供装置４０（第２の通信装置、情報処理装置）と、ユーザ側再生装置５０と、ネットワーク６０とを備える。ユーザ端末２０と、提供側再生装置３０と、コンテンツ提供装置４０と、ユーザ側再生装置５０とはネットワーク６０を介して互いに接続されており、お互いを認識可能となっている。なお、各構成要素の数、例えば提供側再生装置３０及びコンテンツ提供装置４０の個数は、図２に示す個数に限られない。また、ユーザ端末２０は、提供側再生装置３０、コンテンツ提供装置４０、及びユーザ側再生装置５０との間で直接の無線通信が可能となっている。無線通信は、例えばワイファイアライアンスが規定する無線通信のプロトコルに従って行われ、ネットワーク６０を介した通信は、例えばデジタルリビングネットワークアライアンスが規定するプロトコルに従って行われる。
【００２５】
［２−１．ユーザ端末の構成］
ユーザ端末２０は、図３に示すように、通信部２１と、デバイス発見部２２と、入力操作部２３と、表示部２４と、情報取得部２５と、記憶部２６と、制御部２７とを備える。通信部２１は、提供側再生装置３０、コンテンツ提供装置４０、及びユーザ側再生装置５０との間で直接の無線通信が可能となっている。また、通信部２１は、ネットワーク６０を介して提供側再生装置３０、コンテンツ提供装置４０、及びユーザ側再生装置５０と通信を行うことも可能である。また、通信部２１は、ＧＰＳ衛星からＧＰＳ信号を受信し、ＧＰＳ信号に含まれるＧＰＳ情報をデバイス発見部２２に出力する。なお、本実施形態では、ユーザ端末２０は、ＧＰＳ信号を用いてユーザ端末２０の位置を検出するが、他の方法、例えば基地局の信号を用いて検出してもよい。また、ユーザ端末２０は、携帯電話、携帯タブレット、スマートフォン、ノートパソコン等の各種携帯端末の他、カーナビ等を含む。
【００２６】
デバイス発見部２２は、ＧＰＳ情報に基づいて、ユーザ端末２０の現在位置を特定し、特定された現在位置に関する現在位置情報を制御部２７に出力する。また、デバイス発見部２２は、ユーザ端末２０に付与された固有の識別情報である固有識別情報（ＵＤＮ（Ｕｎｉｑｕｅ  Ｄｅｖｉｃｅ  Ｎａｍｅ）、例えばＭＡＣアドレス）を記憶部２６から取得し、通信部２１に出力する。この固有識別情報は、ユーザ端末２０毎に一意に割り振られたものであり、ユーザ端末２０毎に異なっている。通信部２１は、固有識別情報を含む探索信号を生成し、ユーザ端末２０の周辺に送信する。ユーザ端末２０の周辺に存在する提供側再生装置３０は、探索信号を受信した場合には、探索信号へのレスポンスとして、再生装置存在信号をユーザ端末２０に返信する。ここで、再生装置存在信号は、固有識別情報と、ユーザ端末２０に割り振られたアドレス情報（例えばＩＰアドレス）と、提供側再生装置３０のアドレス情報と、提供側再生装置３０が探索信号を受信した日時を示すアクセス日時情報とを含む信号である。
【００２７】
通信部２１は、再生装置存在信号の受信強度及び受信方位を測定し、測定結果に関する測定結果情報をデバイス発見部２２に出力する。通信部２１は、再生装置存在信号に含まれる各情報を記憶部２６に記憶する。通信部２１は、再生装置存在信号に含まれる提供側再生装置３０のアドレス情報をデバイス発見部２２に出力する。デバイス発見部２２は、測定結果情報及び提供側再生装置３０のアドレス情報に基づいて、ユーザ端末２０の周辺に存在する提供側再生装置３０の種類及び位置を特定し、特定した種類及び位置に関する再生装置位置情報を制御部２７に出力する。
【００２８】
通信部２１は、制御部２７からコンテンツ情報要求情報が与えられた場合には、コンテンツ情報要求情報を含むコンテンツ情報要求信号を生成し、提供側再生装置３０に送信する。ここで、コンテンツ情報要求信号は、コンテンツ情報を要求する旨の情報と、ユーザにより選択された提供側再生装置３０のアドレス情報と、ユーザ端末２０のアドレス情報とを含む。
【００２９】
入力操作部２３は、表示部２４の表面に設けられたタッチパネルであり、ユーザによる操作（例えば、入力操作部２３の特定の位置に触れる、当該特定の位置から特定の方向に指を動かす等）に応じた入力操作情報を制御部２７に出力する。
【００３０】
表示部２４は、いわゆるディスプレイであり、各種の画像を表示する。また、表示部２４は、図示しないスピーカを備え、スピーカを用いて各種の音声の出力も可能となっている。図７〜図１１に、表示部２４に表示される画像の例を示す。図７は、再生装置マップ２４０の一例を示す。再生装置マップ２４０は、ユーザ端末２０が周辺に探索信号を送信し、提供側再生装置３０がレスポンスとして再生装置存在信号を返信した結果として表示される。再生装置マップ２４０には、ユーザ端末２０の現在位置を示す現在位置マーカ２４１と、提供側再生装置３０の位置を示す再生装置マーカ２４２と、ユーザ端末２０周辺の地図とが描かれる。ユーザは、表示された再生装置マーカ２４２のうち、自己が所望する提供側再生装置（即ち、視聴を希望するコンテンツが再生されている提供側再生装置）に対応する再生装置マーカ２４２にタッチする。これにより、ユーザは、所望の提供側再生装置３０を選択する。なお、再生装置存在信号に、コンテンツ提供事業者に関する証明書情報を含め、現在位置マーカ２４１に当該証明書情報を表示するようにしてもよい。
【００３１】
図８は、再生装置リスト２４３の一例を示す。再生装置リスト２４３は、ユーザ端末２０が周辺に探索信号を送信し、提供側再生装置３０がレスポンスとして再生装置存在信号を返信した結果として表示される。即ち、表示部２４は、ユーザ端末２０が提供側再生装置３０を探索した結果として、再生装置マップ２４０または再生装置リスト２４３を表示する。もちろん、表示部２４は、これらを両方表示しても良いし、ユーザの指定に応じていずれかを表示してもよい。
【００３２】
再生装置リスト２４３は、提供側再生装置３０の名称が表示される再生装置名称表示欄２４３ａと、再生装置存在信号の受信強度が表示される受信強度表示欄２４３ｂと、再生装置存在信号の受信方位を示す受信方位表示欄２４３ｃとを含む。ユーザは、再生装置リスト２４３のうち、自己が所望する提供側再生装置に対応する部分にタッチする。これにより、ユーザは、所望の提供側再生装置３０を選択する。なお、再生装置存在信号に、コンテンツ提供事業者に関する証明書情報を含め、再生装置リスト２４３に当該証明書情報を表示するようにしてもよい。
【００３３】
図９は、ユーザ情報入力テンプレート２４４の一例を示す。ユーザ情報入力テンプレート２４４は、提供側再生装置３０からユーザ情報の入力が要求された場合に表示される。この例では、ユーザ情報入力テンプレート２４４は、氏名入力欄２４４ａと、年齢入力欄２４４ｂと、性別入力欄２４４ｃと、住所入力欄２４４ｄと、趣味入力欄２４４ｅとを含む。即ち、ユーザ情報入力テンプレート２４４は、ユーザ情報の属性（氏名、年齢、性別等）毎に入力欄を有する。もちろん、ユーザ情報入力テンプレート２４４に表示される入力欄は、これよりも少なくても多くてもよい。ユーザは、これらの入力欄のいずれかにタッチすることで、属性を選択する。表示部２４は、いずれかの入力欄がタッチされた際に、図示しないキーボード画像を表示する。ユーザは、このキーボード画像にタッチすることで、ユーザ情報を入力する。入力されたユーザ情報は、記憶部２６に記憶される他、ユーザ情報提供信号として、提供側再生装置３０に送信される。
【００３４】
図１０は、コンテンツ情報一覧画像２４５の一例を示す。コンテンツ情報一覧画像２４５は、ユーザ端末２０がユーザ情報を提供側再生装置３０に送信した結果として表示される。コンテンツ情報一覧画像２４５は、コンテンツ情報を表示するための画像である。ここで、コンテンツ情報は、コンテンツに関する情報であり、コンテンツのメタ情報を含む。メタ情報は、コンテンツを特定するために必要なあらゆる情報を意味し、例えば、コンテンツの題目（曲名、タイトル、アルバム名等）、コンテンツに出演している者の氏名（アーティスト名、俳優名、キャラクタ名等）、コンテンツ提供事業者名（例えば放送局名）、コンテンツの内容による分類（例えば楽曲、ゲームのプロモーション映像、映画のプロモーション映像等の分類）、コンテンツの解像度、コンテンツの価格等の情報である。特に、本実施形態では、コンテンツ情報には、コンテンツの所在を示すＵＲＬ、具体的には、試聴用ＵＲＬと、購入用ＵＲＬが含まれる。本実施形態では、コンテンツ提供装置４０が試聴用コンテンツ及び購入用コンテンツを提供するので、これらのＵＲＬは、コンテンツ提供装置４０の所在（実質的には、コンテンツ情報格納装置７０内での格納場所）を示す。これらのＵＲＬは、例えば、ｈｔｔｐ：／／ｓｅｒｖｅｒ．ＩＰａｄｄｒｅｓｓ／／（各コンテンツの所在を示す情報）といった形式で与えられる。
【００３５】
図１０に示す例では、コンテンツ情報一覧画像２４５は、曲名表示欄２４５ａと、アーティスト名表示欄２４５ｂと、試聴用ＵＲＬ表示欄２４５ｃと、購入用ＵＲＬ表示欄２４５ｄとを含む。即ち、この例では、コンテンツ情報一覧画像２４５は、上記のコンテンツ情報のうち、曲名、アーティスト名、試聴用ＵＲＬ、及び購入用ＵＲＬを表示する。
【００３６】
なお、図１１に示すように、試聴用ＵＲＬ及び購入用ＵＲＬは、ＱＲコードの形式で与えられても良い。図１１は、コンテンツ情報一覧画像２４５の他の例を示す。図１１に示す例では、試聴用ＵＲＬ表示欄２４５ｃと、購入用ＵＲＬ表示欄２４５ｄとの代わりに、試聴用ＱＲコード２４５ｅと、購入用ＱＲコード表示ボタン２４５ｆとが表示される。ユーザは、試聴用ＱＲコード２４５ｅを、ＱＲコードを読み取り可能な再生装置に読み取らせることで、試聴用コンテンツを視聴することができる。また、ユーザは、購入用ＱＲコード表示ボタン２４５ｆをタッチすることで、購入用ＱＲコードを表示させることができる。
【００３７】
情報取得部２５は、記憶部２６から各種の情報を取得し、制御部２７等に出力する。記憶部２６は、各種の画像情報、音声情報、及びプログラム等、ユーザ端末２０が行う処理に必要な情報を記憶する。制御部２７は、ユーザ端末２０の各構成要素を制御する他、各種の処理を行なう。
【００３８】
［２−２．提供側再生装置の構成］
つぎに、図４に基づいて、提供側再生装置３０の構成について説明する。提供側再生装置３０は、通信部３１と、コンテンツ再生部３２と、記憶部３３と、制御部３４とを備える。
【００３９】
通信部３１は、ユーザ端末２０との間で無線通信を行うことが可能な他、ネットワーク６０を介してコンテンツ提供装置４０及びユーザ側再生装置５０と通信を行うことができる。なお、通信部３１が送信する信号には、送信元、即ち提供側再生装置３０のアドレス情報を含む。
【００４０】
例えば、通信部３１は、ユーザ端末２０から送信された探索信号を受信した場合には、探索信号に含まれる固有識別情報に基づいて、ユーザ端末２０のアドレス情報（例えばＩＰアドレス）を決定し、固有識別情報と対応させて記憶部３３に記憶させる。また、通信部３１は、ユーザ端末２０のアドレス情報、及び提供側再生装置３０のアドレス情報を含む再生装置存在信号をユーザ端末２０に返信する。
【００４１】
また、通信部３１は、探索信号を受信した日時に関するアクセス日時情報を生成する。ついで、通信部３１は、固有識別情報及びユーザ情報が図１２に示すアクセスログ管理テーブルに記録されているかを判定し、これらの情報がすでに格納されている場合には、固有識別情報及びユーザ情報がコピーされた新たな行を生成し、その行にアクセス日時情報を格納する。一方、通信部３１は、これらの情報が格納されていない場合には、アクセスログ管理テーブルに新たな行を生成し、その行に、固有識別情報とアクセス日時情報とを対応させて記録する。
【００４２】
また、通信部３１は、ユーザ端末２０から送信されたコンテンツ情報要求信号を受信した場合には、コンテンツ情報要求信号に含まれる情報を制御部３４に出力する。制御部３４は、当該情報に基づいて問い合わせ情報を生成し、通信部３１に出力する。ここで、問い合わせ情報は、コンテンツ提供装置４０にユーザ情報が登録されているかを問い合わせる旨の情報と、固有識別情報と、固有識別情報に対応する最新のアクセス日時情報と、問い合わせ先のコンテンツ提供装置４０のアドレス情報と、提供側再生装置３０のアドレス情報とを含む。通信部３１は、制御部３４から問い合わせ情報が与えられた場合には、問い合わせ情報を含む問い合わせ信号を生成し、コンテンツ提供装置４０に送信する。
【００４３】
また、通信部３１は、コンテンツ提供装置４０から送信されたコンテンツ提供信号または未登録回答信号を受信した場合には、これらの信号に含まれる情報を制御部３４に出力する。
【００４４】
ここで、コンテンツ提供信号は、コンテンツ提供装置４０にユーザ情報が登録されている場合に、問い合わせ信号に対するレスポンスとしてコンテンツ提供装置４０から送信される。コンテンツ提供信号は、コンテンツ提供情報、即ちコンテンツ情報と、固有識別情報と、提供側再生装置３０のアドレス情報と、コンテンツ提供装置４０のアドレス情報とを含む。制御部３４は、固有識別情報に基づいて、ユーザ端末２０のアドレス情報を生成し、コンテンツ情報、提供側再生装置３０のアドレス情報、及びユーザ端末２０のアドレス情報を含むコンテンツ報知情報を生成し、コンテンツ報知情報を通信部３１に出力する。通信部３１は、コンテンツ報知情報を含むコンテンツ報知信号を生成し、ユーザ端末２０に送信する。
【００４５】
一方、未登録回答信号は、コンテンツ提供装置４０にユーザ情報が登録されていない場合に、問い合わせ信号に対するレスポンスとしてコンテンツ提供装置４０から送信される。未登録回答信号は、未登録回答情報を含む信号である。未登録回答情報は、コンテンツ提供装置４０にユーザ情報が登録されていない旨の情報と、ユーザ情報の特性のうち、未登録の属性を示す情報と、固有識別情報と、提供側再生装置３０のアドレス情報と、コンテンツ提供装置４０のアドレス情報とを含む。制御部３４は、これらの情報に基づいて、ユーザ情報要求情報を生成し、通信部３１に出力する。ここで、ユーザ情報要求情報は、要求対象属性、即ち未登録の属性のうち、アクセスログ管理テーブルに記録されていない属性に関する情報と、ユーザ端末２０のアドレス情報と、提供側再生装置３０のアドレス情報とを含む。通信部３１は、制御部３４からユーザ情報要求情報が与えられた場合には、ユーザ情報要求情報を含むユーザ情報要求信号を生成し、ユーザ端末２０に出力する。
【００４６】
また、通信部３１は、ユーザ端末２０から送信されたユーザ情報提供信号を受信した場合には、ユーザ情報提供信号に含まれるユーザ情報提供情報、具体的にはユーザ情報、ユーザ端末２０のアドレス情報、及び提供側再生装置３０のアドレス情報を制御部３４に出力する。制御部３４は、これらの情報に基づいて、クライアント情報を生成し、通信部３１に出力する。ここで、クライアント情報は、ユーザ情報と、固有識別情報と、提供側再生装置３０のアドレス情報と、コンテンツ提供装置４０のアドレス情報とを含む情報、即ちこれらの情報が関連付けられた情報である。通信部３１は、制御部３４からクライアント情報が与えられた場合には、これらの情報を含むクライアント情報提供信号を生成し、コンテンツ提供装置４０に送信する。
【００４７】
また、通信部３１は、コンテンツ提供装置４０から送信されたコンテンツ信号を受信した場合には、コンテンツ信号に含まれるコンテンツをコンテンツ再生部３２に出力する。
【００４８】
コンテンツ再生部３２は、通信部３１から与えられたコンテンツ、即ちコンテンツ提供装置４０から与えられたコンテンツを再生する。ここで、コンテンツはストリーミング形式で与えられ、コンテンツの再生後には提供側再生装置３０にコンテンツは残らない。
【００４９】
記憶部３３は、各種のプログラム等、提供側再生装置３０が行う処理に必要な情報を記憶する。特に、記憶部３３は、図１２に示すアクセスログ管理テーブルを記憶する。アクセスログ管理テーブルは、ユーザ端末２０の固有識別情報と、ユーザ情報と、アクセス日時情報とを関連付けて記録するものである。なお、図１２では、アクセスログ管理テーブルは、ユーザ情報として、ユーザの氏名、年齢、性別、住所、及び趣味を記録するが、これらに限定されるものではない。また、アクセスログ管理テーブルは、固有識別情報及びユーザ情報の組毎にソートされる。
【００５０】
制御部３４は、提供側再生装置３０の各構成要素を制御する他、クライアント情報提供部３５、コンテンツ情報提供部３６、問い合わせ部３７、及び要求部３８としての処理も行なう。
【００５１】
クライアント情報提供部３５は、通信部３１からユーザ情報提供情報が与えられた場合には、ユーザ情報提供情報に基づいて、以下の処理を行なう。即ち、クライアント情報提供部３５は、ユーザ端末２０のアドレス情報に対応する固有識別情報を特定し、特定された固有識別情報に対応する行をアクセスログ管理テーブルから検索する。クライアント情報提供部３５は、検索された行にユーザ情報を格納する。
【００５２】
そして、クライアント情報提供部３５は、クライアント情報を生成し、通信部３１に出力する。ここで、クライアント情報の送信先のコンテンツ提供装置４０は、未登録回答信号を送信したコンテンツ提供装置４０、即ち、アクセス日時情報が示す日時に提供側再生装置３０にコンテンツを提供しているコンテンツ提供装置４０である。
【００５３】
コンテンツ情報提供部３６は、通信部３１からコンテンツ提供情報が与えられた場合には、コンテンツ提供情報に含まれる情報のうち、固有識別情報に対応するユーザ端末２０のアドレス情報を特定する。そして、コンテンツ情報提供部３６は、特定されたユーザ端末２０のアドレス情報と、コンテンツ情報と、提供側再生装置３０のアドレス情報とを含むコンテンツ情報放置情報を生成し、通信部３１に出力する。
【００５４】
問い合わせ部３７は、通信部３１からコンテンツ情報要求情報が与えられた場合には、コンテンツ情報要求情報に基づいて、コンテンツ提供装置４０にユーザ情報が登録されているかを問い合わせる旨の情報と、固有識別情報と、固有識別情報に対応する最新のアクセス日時情報と、問い合わせ先のコンテンツ提供装置４０の所在を示すアドレス情報と、提供側再生装置３０のアドレス情報とを含む問い合わせ情報を生成し、通信部３１に出力する。送信先のコンテンツ提供装置４０は、アクセス日時情報が示す日時に提供側再生装置３０にコンテンツを提供しているコンテンツ提供装置４０である。
【００５５】
要求部３８は、通信部３１から未登録回答情報に基づいて、コンテンツ提供装置４０に未登録の属性と、固有識別情報、即ちユーザ情報の要求先のユーザ端末２０とを特定する。さらに、要求部３８は、固有識別情報に対応する行をアクセスログ管理テーブルから検索し、コンテンツ提供装置４０に未登録の属性のうち、検索された行に記録済みの属性を除外したものを、要求対象属性とする。そして、要求部３８は、ユーザ情報要求情報を生成し、通信部３１に出力する。
【００５６】
［２−３．コンテンツ提供装置の構成］
次に、図５に基づいて、コンテンツ提供装置４０の構成について説明する。コンテンツ提供装置４０は、通信部４１と、記憶部４２と、制御部４３とを備え、コンテンツ情報格納装置７０と、クライアント情報格納装置８０とに接続されている。
【００５７】
コンテンツ情報格納装置７０は、各種コンテンツと、そのコンテンツに関するコンテンツ情報とを関連付けて記憶する。なお、各種コンテンツは、試聴用と購入用との両方が用意されている。試聴用コンテンツは、購入用コンテンツよりも制限がかかっていてもよい。このような制限としては、例えば、購入用コンテンツよりも解像度が低い、音質が低い、購入用コンテンツの一部しか収録されていない等が考えられる。クライアント情報格納装置８０は、図１３に示すユーザ情報管理テーブルを記憶する。
【００５８】
ユーザ情報管理テーブルは、ユーザ端末２０の固有識別情報、ユーザ情報、アクセス日時情報、コンテンツ情報、提供側再生装置３０のアドレス情報、試聴フラグ、及び再生可能回数を関連付けて記録するものである。
【００５９】
ユーザ情報管理テーブルに登録されるユーザ情報の属性は、コンテンツ提供装置４０を管理する事業者、即ちコンテンツ提供事業者等によって任意に設定される。例えば、図２に示すコンテンツ提供装置４０Ａを管理するコンテンツ提供事業者は、ユーザ情報の属性として、氏名、年齢、性別だけが必要であれば、これらの属性をユーザ情報管理テーブルに登録させる。一方、コンテンツ提供装置４０Ｂを管理するコンテンツ提供事業者は、ユーザ情報の属性として、氏名、年齢、性別の他、住所及び趣味が必要であれば、これらの属性をユーザ情報管理テーブルに登録させる。なお、ユーザ情報管理テーブルに登録させるユーザ情報の属性は、提供側再生装置３０に再生させるコンテンツによって異なるようにしてもよい。また、ユーザ情報管理テーブルは、固有識別情報及びユーザ情報の組毎にソートされる。
【００６０】
ユーザ情報管理テーブルに格納されるコンテンツ情報は、提供側再生装置３０が探索信号を受信した際（即ち、アクセス日時情報が示す時点）に、提供側再生装置３０が再生していたコンテンツに関する情報である。提供側再生装置３０のアドレス情報は、問い合わせ信号を送信した提供側再生装置３０のアドレス情報である。試聴フラグは、ユーザに試聴を許可するか否かを示すフラグであり、「試聴可」、「試聴不可」のいずれかの値を示す。初期値は「試聴可」である。再生可能回数は、ユーザがコンテンツを試聴可能な回数を示し、後述するように、ユーザ端末２０がユーザ側再生装置５０経由でコンテンツ提供装置４０にアクセスするごとに、１減少する。そして、再生可能回数が０になった際に、試聴フラグが「試聴不可」に変更される。
【００６１】
通信部４１は、ユーザ端末２０との間で無線通信を行うことが可能な他、ネットワーク６０を介して提供側再生装置３０及びユーザ側再生装置５０と通信を行うことができる。例えば、通信部４１は、制御部４３からコンテンツ情報、提供側再生装置３０のアドレス情報、及びコンテンツ提供装置４０のアドレス情報が与えられた場合には、これらの情報を含むコンテンツ信号を生成し、提供側再生装置３０に送信する。
【００６２】
また、通信部４１は、提供側再生装置３０から送信された問い合わせ信号を受信した場合には、問い合わせ信号に含まれる情報、即ち問い合わせ情報を制御部４３に出力する。制御部４３は、問い合わせ情報に基づいて、ユーザ情報が登録されているかを判定する。この結果、制御部４３は、ユーザ情報が登録されている場合には、コンテンツ情報、固有識別情報、提供側再生装置３０のアドレス情報、及びコンテンツ提供装置４０のアドレス情報を含むコンテンツ提供情報を通信部４１に出力する。通信部４１は、コンテンツ提供情報を含むコンテンツ提供信号を生成し、提供側再生装置３０に送信する。一方、制御部４３は、ユーザ情報が登録されていない場合には、コンテンツ提供装置４０にユーザ情報が登録されていない旨の情報と、ユーザ情報の特性のうち、未登録の属性を示す情報と、固有識別情報と、提供側再生装置３０のアドレス情報と、コンテンツ提供装置４０のアドレス情報とを含む未登録回答情報を生成する。そして、制御部３４は、未登録回答情報を通信部４１に出力する。通信部４１は、未登録回答情報を含む未登録回答信号を生成し、提供側再生装置３０に送信する。
【００６３】
また、通信部４１は、提供側再生装置３０から送信されたクライアント情報提供信号を受信した場合には、クライアント情報提供信号に含まれるクライアント情報を制御部３４に出力する。制御部３４は、クライアント情報をユーザ情報管理テーブルに記録する。
【００６４】
また、通信部４１は、ユーザ側提供装置５０から送信された試聴要求信号を受信した場合には、試聴要求信号に含まれる試聴要求情報を制御部４３に出力する。ここで、試聴要求情報は、コンテンツの試聴を要求する旨の情報と、試聴用ＵＲＬと、固有識別情報と、ユーザ情報と、コンテンツ提供装置４０のアドレス情報と、ユーザ側再生装置５０のアドレス情報とを含む。制御部４３は、試聴要求情報に基づいて、コンテンツの試聴を許可するかを判定する。制御部４３は、コンテンツの試聴を許可する場合には、試聴用コンテンツと、固有識別情報と、ユーザ側再生装置５０のアドレス情報と、コンテンツ提供装置４０のアドレス情報とを含む再生許可情報を生成し、通信部４１に出力する。通信部４１は、試聴許可情報を含む試聴許可信号を生成し、ユーザ側再生装置５０に送信する。
【００６５】
制御部４３は、コンテンツの試聴を許可しない場合には、コンテンツの試聴を許可しない旨の情報と、固有識別情報と、ユーザ側再生装置５０のアドレス情報と、コンテンツ提供装置４０のアドレス情報とを含む試聴不可情報を生成し、通信部４１に出力する。通信部４１は、試聴不可情報を含む試聴不可信号を生成し、ユーザ側再生装置５０に送信する。
【００６６】
また、通信部４１は、ユーザ側提供装置５０から送信された購入要求信号を受信した場合には、購入要求信号に含まれる購入要求情報を制御部４３に出力する。ここで、購入要求情報は、コンテンツの購入を要求する旨の情報と、購入用ＵＲＬと、固有識別情報と、ユーザ情報と、コンテンツ提供装置４０のアドレス情報と、ユーザ側再生装置５０のアドレス情報とを含む。制御部４３は、これらの情報に基づいて、購入に必要な手続きを示す画像情報と、固有識別情報と、ユーザ側再生装置５０のアドレス情報と、コンテンツ提供装置４０のアドレス情報とを含む購入手続情報を生成し、通信部４１に出力する。通信部４１は、購入手続情報を含む購入手続信号を生成し、ユーザ側再生装置５０に送信する。
【００６７】
また、通信部４１は、制御部４３から購入手続完了情報が与えられた場合には、購入手続完了情報を含む購入手続完了信号を生成し、ユーザ側再生装置５０に送信する。ここで、購入手続完了情報は、購入に必要な手続きが完了されたことを示す情報と、購入用ＵＲＬが示す購入用コンテンツと、固有識別情報と、ユーザ側再生装置５０のアドレス情報と、コンテンツ提供装置４０のアドレス情報とを含む。
【００６８】
記憶部４２は、各種画像情報、音声情報及びプログラム等、コンテンツ提供装置４０の処理に必要な情報を記憶する。
【００６９】
制御部４３は、コンテンツ提供装置４０の各構成要素を制御する他、コンテンツ提供部４４、コンテンツ情報提供部４５、クライアント情報取得部４６、及び判定部４７としての処理も行なう。
【００７０】
コンテンツ提供部４４は、コンテンツ情報格納装置７０からいずれかのコンテンツを取得し、コンテンツの送信先となる提供側再生装置３０のアドレス情報及びコンテンツ提供装置４０のアドレス情報と共に通信部４１に出力する。なお、コンテンツ提供部４４による各提供側再生装置３０へのコンテンツの配信状況は、コンテンツ情報提供部４５が監視している。即ち、コンテンツ情報提供部４５は、コンテンツ提供部４４が配信しているコンテンツ、コンテンツの配信先の提供側再生装置３０、及びコンテンツを配信する時刻を監視している。
【００７１】
また、コンテンツ提供部４４は、通信部４１から試聴要求情報が与えられ、かつ、判定部４７から試聴許可判定情報が与えられた場合には、試聴用ＵＲＬが示すコンテンツ、即ち試聴用コンテンツと、固有識別情報と、ユーザ側再生装置５０のアドレス情報と、コンテンツ提供装置４０のアドレス情報とを含む試聴許可情報を生成し、通信部４１に出力する。
【００７２】
一方、コンテンツ提供部４４は、通信部４１から試聴要求情報が与えられ、かつ、判定部４７から試聴不可判定情報が与えられた場合には、試聴用コンテンツの試聴が不可である旨の情報と、固有識別情報と、ユーザ側再生装置５０のアドレス情報と、コンテンツ提供装置４０のアドレス情報とを含む試聴不可情報を生成し、通信部４１に出力する。
【００７３】
また、コンテンツ提供部４４は、通信部４１から購入要求情報が与えられた場合には、購入に必要な手続き（例えば、電子マネー、フェリカ、クレジットカードを用いた購入手続き）を示す画像情報と、固有識別情報と、ユーザ側再生装置５０のアドレス情報と、コンテンツ提供装置４０のアドレス情報とを含む購入手続情報を生成し、通信部４１に出力する。
【００７４】
コンテンツ提供部４４は、ユーザからの入金（例えば、クレジット会社を経由した入金）が確認された場合に、購入に必要な手続きが完了されたことを示す情報と、購入用ＵＲＬが示す購入用コンテンツと、固有識別情報と、ユーザ側再生装置５０のアドレス情報と、コンテンツ提供装置４０のアドレス情報と含む購入手続完了情報を生成し、通信部４１に出力する。
【００７５】
コンテンツ情報提供部４５は、クライアント情報取得部４６からユーザ情報登録済み情報が与えられた場合には、以下の処理を行なう。ここで、ユーザ情報登録済み情報は、コンテンツ提供装置４０にユーザ情報が登録されている旨の情報と、固有識別情報と、固有識別情報に対応する最新のアクセス日時情報と、提供側再生装置３０のアドレス情報とを含む。即ち、コンテンツ情報提供部４５は、提供側再生装置３０のアドレス情報に対応する提供側再生装置３０が、アクセス日時情報に対応する時点で再生していたコンテンツを特定する。そして、コンテンツ情報提供部４５は、特定されたコンテンツに関するコンテンツ情報をコンテンツ情報格納装置７０から取得し、ユーザ情報管理テーブルのうち、固有識別情報と、アクセス日時情報と、提供側再生装置３０のアドレス情報とに対応する行に格納する。さらに、コンテンツ情報提供部４５は、固有識別情報と、コンテンツ情報と、提供側再生装置３０のアドレス情報と、コンテンツ提供装置４０のアドレス情報とを含むコンテンツ提供情報を生成し、通信部４１に出力する。
【００７６】
また、コンテンツ情報提供部４５は、クライアント情報取得部４６からユーザ情報未登録情報が与えられた場合には、以下の処理を行なう。ここで、ユーザ情報未登録情報は、コンテンツ提供装置４０にユーザ情報が登録されていない旨の情報と、未登録の属性を示す情報と、固有識別情報と、固有識別情報に対応する最新のアクセス日時情報と、提供側再生装置３０のアドレス情報とを含む。即ち、コンテンツ情報提供部４５は、提供側再生装置３０のアドレス情報に対応する提供側再生装置３０が、アクセス日時情報に対応する時点で再生していたコンテンツを特定する。そして、コンテンツ情報提供部４５は、特定されたコンテンツに関するコンテンツ情報をコンテンツ情報格納装置７０から取得し、ユーザ情報管理テーブルのうち、固有識別情報と、アクセス日時情報と、提供側再生装置３０のアドレス情報とに対応する行に格納する。さらに、コンテンツ情報提供部４５は、コンテンツ提供装置４０にユーザ情報が登録されていない旨の情報と、未登録の属性を示す情報と、固有識別情報と、固有識別情報に対応する最新のアクセス日時情報と、提供側再生装置３０のアドレス情報と、コンテンツ提供装置４０のアドレス情報とを含む未登録回答情報を生成し、通信部４１に出力する。
【００７７】
クライアント情報取得部４６は、通信部４１から問い合わせ情報が与えられた場合には、問い合わせ情報に基づいて、以下の処理を行なう。即ち、クライアント情報取得部４６は、問い合わせ情報のうち、固有識別情報に対応するユーザ情報がユーザ情報管理テーブルに登録されているかを判定する。
【００７８】
この結果、クライアント情報取得部４６は、ユーザ情報管理テーブルにユーザ情報が登録されていると判定した場合には、固有識別情報及びユーザ情報の組がコピーされた新たな行を生成し、生成された行に、問い合わせ情報に含まれるアクセス日時情報、提供側再生装置３０のアドレス情報を格納する。そして、クライアント情報取得部４６は、新たな行の試聴フラグを「視聴可」に設定し、再生可能回数を初期値（例えば３）に設定する。そして、クライアント情報取得部４６は、コンテンツ提供装置４０にユーザ情報が登録されている旨の情報と、固有識別情報と、固有識別情報に対応する最新のアクセス日時情報と、提供側再生装置３０のアドレス情報とを含むユーザ情報登録済み情報を生成し、コンテンツ情報提供部４５に出力する。
【００７９】
一方、クライアント情報取得部４６は、ユーザ情報管理テーブルにユーザ情報が登録されていないと判定した場合には、ユーザ情報管理テーブルに新たな行を生成し、この行に問い合わせ情報、即ち固有識別情報、固有識別情報に対応する最新のアクセス日時情報、及び提供側再生装置３０のアドレス情報を格納する。そして、クライアント情報取得部４６は、新たな行の試聴フラグを「視聴可」に設定し、再生可能回数を初期値（例えば３）に設定する。そして、クライアント情報取得部４６は、コンテンツ提供装置４０にユーザ情報が登録されていない旨の情報と、未登録の属性に関する情報と、固有識別情報と、固有識別情報に対応する最新のアクセス日時情報と、提供側再生装置３０のアドレス情報とを含むユーザ情報未登録情報を生成し、コンテンツ情報提供部４５に出力する。
【００８０】
また、クライアント情報取得部４６は、通信部４１からクライアント情報が与えられた場合には、クライアント情報のうち、固有識別情報に対応する行をユーザ情報管理テーブルから検索し、検索した行にユーザ情報を格納する。そして、クライアント情報取得部４６は、ユーザ情報登録済み情報を生成し、コンテンツ情報提供部４５に出力する。
【００８１】
判定部４７は、通信部４１から試聴要求情報が与えられた場合には、試聴要求情報に含まれる試聴用ＵＲＬに基づいて、試聴用コンテンツ及び当該試聴用コンテンツに関するコンテンツ情報を特定する。そして、判定部４７は、固有識別情報、ユーザ情報、及びコンテンツ情報に対応する行をユーザ情報管理テーブルから検索する。この結果、判定部４７は、対応する行が検索できなかった場合には、試聴不可判定情報を生成し、コンテンツ提供部４４に出力する。一方、判定部４７は、対応する行を検索できた場合には、検索した行の試聴フラグが「試聴可」になっているかを判定する。この結果、判定部４７は、試聴フラグが「試聴不可」になっている場合には、試聴不可判定情報を生成し、コンテンツ提供部４４に出力する。一方、判定部４７は、試聴フラグが「試聴可」になっている場合には、試聴許可判定情報を生成し、コンテンツ提供部４５に出力し、再生可能回数を１減少させる。判定部４７は、再生可能回数が０になった場合には、試聴フラグを「試聴不可」に変更する。なお、同じコンテンツを再生する提供側再生装置３０に同じユーザ端末２０が時間を変えて複数回コンテンツ情報要求信号を送信した場合、固有識別情報、ユーザ情報、及びアクセス日時情報がそれぞれ同じとなる複数の行が生成されるので、判定部４７は、複数の行を検索する可能性がある。この場合、判定部４７は、複数の行のうち、いずれかの行が「試聴可」となっていれば、その行に対して、上述した処理を行なう。一方、判定部４７は、すべての行が「試聴不可」となっていれば、試聴不可情報を生成し、コンテンツ提供部４４に出力する。したがって、判定部４７は、ユーザ端末２０のコンテンツ提供装置４０へのアクセス状況に基づいて、ユーザに対する試聴用コンテンツの再生を許可するかを判定する。
【００８２】
［２−４．ユーザ側再生装置の構成］
次に、図６に基づいて、ユーザ側再生装置５０の構成について説明する。ユーザ側再生装置５０は、ユーザからの指示に基づいてコンテンツを再生する装置であり、例えばユーザの自宅に設置されたディスプレイや、各種の施設に設置されたジュークボックス等が該当する。
【００８３】
ユーザ側再生装置５０は、通信部５１と、コンテンツ再生部５２と、記憶部５３と、制御部５４とを備える。
【００８４】
通信部５１は、ユーザ端末２０との間で無線通信を行うことが可能な他、ネットワーク６０を介して提供側再生装置３０及びコンテンツ提供装置４０と通信を行うことができる。例えば、通信部５１は、ユーザ端末２０から試聴指示信号が与えられた場合には、試聴指示信号に含まれる試聴指示情報を制御部５４に出力する。ここで、試聴指示情報は、コンテンツの試聴を指示する旨の情報と、固有識別情報と、ユーザ情報と、試聴用ＵＲＬと、ユーザ端末２０のアドレス情報と、ユーザ側コンテンツ提供装置５０のアドレス情報とを含む。制御部５４は、試聴指示情報に基づいて、試聴要求情報を生成し、通信部５１に出力する。通信部５１は、制御部５４から与えられた試聴要求情報を含む試聴要求信号を生成し、コンテンツ提供装置４０に送信する。
【００８５】
また、通信部５１は、ユーザ端末２０から購入指示信号が与えられた場合には、購入指示信号に含まれる購入指示情報を制御部５４に出力する。ここで、購入指示情報は、コンテンツの購入を指示する旨の情報と、固有識別情報と、ユーザ情報と、購入用ＵＲＬと、ユーザ端末２０のアドレス情報と、ユーザ側コンテンツ提供装置５０のアドレス情報とを含む。制御部５４は、購入指示情報に基づいて、購入要求情報を生成し、通信部５１に出力する。通信部５１は、制御部５４から与えられた購入要求情報を含む購入要求信号を生成し、コンテンツ提供装置４０に送信する。
【００８６】
また、通信部５１は、試聴用ＱＲコード及び購入用ＱＲコードを読み取ることもできる。通信部５１は、これらのＱＲコードを読み取った場合には、読み取ったＱＲコードに基づいて試聴要求信号または購入要求信号を生成し、コンテンツ提供装置４０に送信する。
【００８７】
また、通信部５１は、コンテンツ提供装置４０から送信された試聴許可信号を受信した場合には、試聴許可信号に含まれる試聴許可情報を制御部５４に出力する。制御部５４は、試聴許可情報に基づいて、コンテンツをコンテンツ再生部５２に再生させる。
【００８８】
また、通信部５１は、コンテンツ提供装置４０から送信された試聴不可信号を受信した場合には、試聴不可信号に含まれる試聴不可情報を制御部５４に出力する。制御部５４は、試聴許可情報に基づいて、試聴ができない旨の画像情報をコンテンツ再生部５２に再生させる。
【００８９】
また、通信部５１は、コンテンツ提供装置４０から送信された購入手続信号を受信した場合には、購入手続信号に含まれる購入手続情報を制御部５４に出力する。制御部５４は、購入手続情報に基づいて、購入手続きを示す画像情報をコンテンツ再生部５２に再生させる。
【００９０】
また、通信部５１は、コンテンツ提供装置４０から送信された購入手続完了信号を受信した場合には、購入手続完了信号に含まれる情報を制御部５４に出力する。制御部５４は、購入手続完了情報に基づいて、コンテンツをコンテンツ再生部５２に再生させる。
【００９１】
コンテンツ再生部５２は、制御部５４による制御により、コンテンツ等を再生する。記憶部５３は、各種画像情報、プログラム等、ユーザ側再生装置５０による処理に必要な情報を記憶する。制御部５４は、各種の処理を行なう。
【００９２】
＜３．コンテンツ提供システムによる処理の手順＞
次に、図１４及び図１５に示すシーケンス図に基づいて、コンテンツ提供システムによる処理の手順について説明する。
【００９３】
図１６に示すように、提供側再生装置３０は、コンテンツ提供装置４０から送信されたコンテンツ信号に基づいて、コンテンツを再生している。ユーザＵは、提供側再生装置３０が再生するコンテンツに興味を持ったが、通行人Ｘ２に画像３０ａの視認が妨害され、通行人Ｘ１の話し声Ｘ１１によって音声３０ｂの聞き取りが妨害されている。
【００９４】
そこで、ユーザＵは、入力操作部２３を操作することで、探索信号の送信を指示する旨の情報を入力する。次いで、ステップＳ１０において、デバイス発見部２２は、固有識別情報を記憶部２６から取得し、通信部２１に出力する。通信部２１は、固有識別情報を含む探索信号を生成し、ユーザ端末２０の周辺に送信する。
【００９５】
次いで、ユーザ端末２０の周辺に存在する提供側再生装置３０は、以下の処理を行なう。即ち、通信部３１は、探索信号を受信する。通信部３１は、探索信号に含まれる固有識別情報に基づいて、ユーザ端末２０のアドレス情報を決定し、固有識別情報と対応させて記憶部３３に記憶させる。次いで、通信部３１は、ユーザ端末２０のアドレス情報、及び提供側再生装置３０のアドレス情報を含む再生装置存在信号をユーザ端末２０に返信する。一方、通信部３１は、探索信号を受信した日時に関するアクセス日時情報を生成する。ついで、通信部３１は、固有識別情報及びユーザ情報が図１２に示すアクセスログ管理テーブルに記録されているかを判定し、これらの情報がすでに格納されている場合には、固有識別情報及びユーザ情報がコピーされた新たな行を生成し、その行にアクセス日時情報を格納する。一方、通信部３１は、これらの情報が格納されていない場合には、アクセスログ管理テーブルに新たな行を生成し、その行に、固有識別情報とアクセス日時情報とを対応させて記録する。
【００９６】
次いで、通信部２１は、再生装置存在信号を受信し、再生装置存在信号の受信強度及び受信方位を測定し、測定結果に関する測定結果情報と、再生装置存在信号に含まれる提供側再生装置３０のアドレス情報とをデバイス発見部２２に出力する。一方、通信部２１は、再生装置存在信号に含まれる各情報を記憶部２６に記憶する。また、通信部２１は、ＧＰＳ衛星からＧＰＳ信号を受信し、ＧＰＳ信号に含まれるＧＰＳ情報をデバイス発見部２２に出力する。デバイス発見部２２は、ＧＰＳ情報に基づいて、ユーザ端末２０の現在位置を特定し、特定された現在位置に関する現在位置情報を制御部２７に出力する。さらに、デバイス発見部２２は、測定結果情報及び提供側再生装置３０のアドレス情報に基づいて、ユーザ端末２０の周辺に存在する提供側再生装置３０の種類及び位置を特定し、特定した種類及び位置に関する再生装置位置情報を制御部２７に出力する。
【００９７】
次いで、制御部２７は、再生装置位置情報に基づいて、図７に示す再生装置マップ２４０または図８に示す再生装置リスト２４３を表示部２４に表示させる。これらの例では、ユーザ端末２０の周辺に提供側再生装置３０Ａ〜３０Ｃが存在している。ユーザＵは、再生装置マップ２４０または再生装置リスト２４３に基づいて、所望の提供側再生装置３０を選択する。具体的には、ユーザＵは、現在位置マーカ２４１または再生装置リスト２４３のうち、自己が所望する提供側再生装置に対応する部分にタッチする。
【００９８】
次いで、ステップＳ１１において、制御部２７は、コンテンツ情報を要求する旨の情報と、ユーザにより選択された提供側再生装置３０のアドレス情報と、ユーザ端末２０のアドレス情報とを含むコンテンツ情報要求情報を生成し、通信部２１に出力する。通信部２１は、制御部２７から与えられたコンテンツ情報要求情報を含むコンテンツ情報要求信号を生成し、提供側再生装置３０に送信する。
【００９９】
次いで、ステップＳ２０において、通信部３１は、ユーザ端末２０から送信されたコンテンツ情報要求信号を受信し、コンテンツ情報要求信号に含まれるコンテンツ情報要求情報を問い合わせ部３７に出力する。
【０１００】
問い合わせ部３７は、通信部３１から与えられたコンテンツ情報要求情報と、アクセスログ管理テーブルとに基づいて、コンテンツ提供装置４０にユーザ情報が登録されているかを問い合わせる旨の情報と、固有識別情報と、固有識別情報に対応する最新のアクセス日時情報と、問い合わせ先のコンテンツ提供装置４０の所在を示すアドレス情報と、提供側再生装置３０のアドレス情報とを含む問い合わせ情報を生成し、通信部３１に出力する。問い合わせ先のコンテンツ提供装置４０は、アクセス日時情報が示す日時に提供側再生装置３０にコンテンツを提供しているコンテンツ提供装置４０である。
【０１０１】
ステップＳ３０において、通信部４１は、提供側再生装置３０から送信された問い合わせ信号を受信し、問い合わせ信号に含まれる情報、即ち問い合わせ情報をクライアント情報取得部４６に出力する。
【０１０２】
次いで、クライアント情報取得部４６は、通信部４１から問い合わせ情報が与えられた場合には、問い合わせ情報に基づいて、以下の処理を行なう。即ち、クライアント情報取得部４６は、問い合わせ情報のうち、固有識別情報に対応するユーザ情報がユーザ情報管理テーブルに登録されているかを判定する。
【０１０３】
この結果、クライアント情報取得部４６は、ユーザ情報管理テーブルにユーザ情報が登録されていると判定した場合には、固有識別情報及びユーザ情報の組がコピーされた新たな行を生成し、生成された行に、問い合わせ情報に含まれるアクセス日時情報、提供側再生装置３０のアドレス情報を格納する。そして、クライアント情報取得部４６は、新たな行の試聴フラグを「視聴可」に設定し、再生可能回数を初期値（例えば３）に設定する。そして、クライアント情報取得部４６は、コンテンツ提供装置４０にユーザ情報が登録されている旨の情報と、固有識別情報と、固有識別情報に対応する最新のアクセス日時情報と、提供側再生装置３０のアドレス情報とを含むユーザ情報登録済み情報を生成し、コンテンツ情報提供部４５に出力する。その後、コンテンツ提供装置４０は、ステップＳ７０の処理に進む。
【０１０４】
一方、クライアント情報取得部４６は、ユーザ情報管理テーブルにユーザ情報が登録されていないと判定した場合には、ユーザ情報管理テーブルに新たな行を生成し、この行に問い合わせ情報、即ち固有識別情報、アクセス日時情報、及び提供側再生装置３０のアドレス情報を格納する。そして、クライアント情報取得部４６は、新たな行の試聴フラグを「視聴可」に設定し、再生可能回数を初期値（例えば３）に設定する。そして、クライアント情報取得部４６は、コンテンツ提供装置４０にユーザ情報が登録されていない旨の情報と、未登録の属性に関する情報と、固有識別情報と、固有識別情報に対応する最新のアクセス日時情報と、提供側再生装置３０のアドレス情報とを含むユーザ情報未登録情報を生成し、コンテンツ情報提供部４５に出力する。
【０１０５】
次いで、コンテンツ情報提供部４５は、クライアント情報取得部４６から与えられたユーザ情報未登録情報に基づいて、以下の処理を行なう。即ち、コンテンツ情報提供部４５は、提供側再生装置３０のアドレス情報に対応する提供側再生装置３０が、アクセス日時情報に対応する時点で再生していたコンテンツを特定する。そして、コンテンツ情報提供部４５は、特定されたコンテンツに関するコンテンツ情報を、ユーザ情報管理テーブルのうち、固有識別情報と、アクセス日時情報と、提供側再生装置３０のアドレス情報とに対応する行に格納する。さらに、コンテンツ情報提供部４５は、コンテンツ提供装置４０にユーザ情報が登録されていない旨の情報と、未登録の属性を示す情報と、固有識別情報と、固有識別情報に対応する最新のアクセス日時情報と、提供側再生装置３０のアドレス情報と、コンテンツ提供装置４０のアドレス情報とを含む未登録回答情報を生成し、通信部４１に出力する。通信部４１は、未登録回答情報を含む未登録回答信号を生成し、提供側再生装置３０に送信する。
【０１０６】
ステップＳ４０において、通信部３１は、コンテンツ提供装置４０から送信された未登録回答信号を受信し、未登録回答信号に含まれる未登録回答情報を要求部３８に出力する。
【０１０７】
要求部３８は、通信部３１から未登録回答情報に基づいて、コンテンツ提供装置４０に未登録の属性と、ユーザ情報の要求先のユーザ端末２０を特定する。そして、要求部３８は、アクセスログ管理テーブルのうち、固有識別情報に対応する行に、コンテンツ提供装置４０に未登録の属性が全て登録されているかを判定する。この結果、要求部３８は、コンテンツ提供装置４０に未登録の属性が全てアクセスログ管理テーブルに登録されていると判定した場合には、ステップＳ６０に進み、一部でも登録されていないものがあると判定した場合には、コンテンツ提供装置４０に未登録の属性のうち、アクセスログ管理テーブルに登録されていない属性を要求対象属性とする。そして、要求部３８は、ユーザ情報要求情報を生成し、通信部３１に出力する。通信部３１は、ユーザ情報要求情報を含むユーザ情報要求信号を生成し、ユーザ端末２０に送信する。
【０１０８】
通信部２１は、ユーザ情報要求信号を受信し、ユーザ情報要求信号に含まれるユーザ情報要求情報を制御部２７に出力する。制御部２７は、ユーザ情報要求情報に基づいて、要求対象属性に関するユーザ情報をユーザＵに入力させるためのユーザ情報入力テンプレート２４４を表示部２４に表示させる。なお、図９に示す例では、要求対象属性は、氏名、年齢、性別、住所、及び趣味となっている。ユーザＵは、ユーザ情報入力テンプレート２４４を参照して、ユーザ情報を入力する。
【０１０９】
ステップＳ５０において、制御部２７は、入力されたユーザ情報と、ユーザ情報要求情報とに基づいて、ユーザ情報提供情報を生成し、通信部２１に出力する。ここで、ユーザ情報提供情報は、入力されたユーザ情報、提供側再生装置３０のアドレス情報、及びユーザ端末２０のアドレス情報を含む。通信部２１は、ユーザ情報提供情報を含むユーザ情報提供信号を生成し、提供側再生装置３０に送信する。
【０１１０】
次いで、通信部３１は、ユーザ情報提供信号を受信し、ユーザ情報提供信号に含まれるユーザ情報提供情報をクライアント情報提供部３５に出力する。クライアント情報提供部３５は、通信部３１からユーザ情報提供情報が与えられた場合には、ユーザ情報提供情報に対応する固有識別情報を特定し、特定された固有識別情報に対応する行をアクセスログ管理テーブルから検索する。クライアント情報提供部３５は、検索された行にユーザ情報を格納する。
【０１１１】
ステップＳ６０において、クライアント情報提供部３５は、クライアント情報を生成し、通信部３１に出力する。ここで、クライアント情報の送信先のコンテンツ提供装置４０は、未登録回答信号を送信したコンテンツ提供装置４０、即ち、アクセス日時情報が示す日時に提供側再生装置３０にコンテンツを提供しているコンテンツ提供装置４０である。通信部３１は、クライアント情報提供信号をコンテンツ提供装置４０に送信する。
【０１１２】
通信部４１は、クライアント情報提供信号を受信し、クライアント情報提供信号に含まれるクライアント情報をクライアント情報取得部４６に出力する。クライアント情報取得部４６は、通信部４１からクライアント情報が与えられた場合には、クライアント情報のうち、固有識別情報に対応する行を検索し、検索した行にユーザ情報を格納する。そして、クライアント情報取得部４６は、ユーザ情報登録済み情報を生成し、コンテンツ情報提供部４５に出力する。
【０１１３】
ステップＳ７０において、コンテンツ情報提供部４５は、クライアント情報取得部４６から与えられたユーザ情報登録済み情報に基づいて、以下の処理を行なう。即ち、コンテンツ情報提供部４５は、提供側再生装置３０のアドレス情報に対応する提供側再生装置３０が、アクセス日時情報に対応する時点で再生していたコンテンツを特定する。そして、コンテンツ情報提供部４５は、特定されたコンテンツに関するコンテンツ情報をコンテンツ情報格納装置７０から取得し、ユーザ情報管理テーブルのうち、固有識別情報と、アクセス日時情報と、提供側再生装置３０のアドレス情報とに対応する行に格納する。さらに、コンテンツ情報提供部４５は、固有識別情報と、コンテンツ情報と、提供側再生装置３０のアドレス情報と、コンテンツ提供装置４０のアドレス情報とを含むコンテンツ提供情報を生成し、通信部４１に出力する。通信部４１は、コンテンツ提供情報を含むコンテンツ提供信号を生成し、提供側再生装置３０に送信する。
【０１１４】
ステップＳ８０において、通信部３１は、コンテンツ提供信号を受信し、コンテンツ提供信号に含まれるコンテンツ提供情報をコンテンツ情報提供部３６に出力する。コンテンツ情報提供部３６は、コンテンツ提供情報に含まれる情報のうち、固有識別情報に対応するユーザ端末２０のアドレス情報を生成する。そして、コンテンツ情報提供部３６は、コンテンツ情報、提供側再生装置３０のアドレス情報、及びユーザ端末２０のアドレス情報を含むコンテンツ報知情報を生成し、通信部３１に出力する。通信部３１は、コンテンツ報知情報を含むコンテンツ報知信号を生成し、ユーザ端末２０に送信する。
【０１１５】
通信部２１は、コンテンツ報知信号を受信し、コンテンツ報知信号に含まれるコンテンツ報知情報を制御部２７に出力する。制御部２７は、コンテンツ報知情報に基づいて、図１０に示すようなコンテンツ情報一覧画像２４５を表示部２４に表示させる。さらに、制御部２７は、コンテンツ報知情報を記憶部２６に記憶させる。これにより、ユーザＵは、自己のユーザ端末２０にコンテンツ情報を取り込むことができる。
【０１１６】
その後、ユーザＵは、図１７に示すように、例えば自宅のリビングに設置されたユーザ側再生装置５０（即ちディスプレイ）にコンテンツを表示させる。まず、ユーザＵは、入力操作部２３を操作することで、コンテンツの試聴を行いたい旨の情報を入力する。
【０１１７】
図１５に示すステップＳ９０において、制御部２７は、入力された情報と、記憶部２６に記憶された情報とに基づいて、試聴指示情報を生成し、通信部２１に出力する。ここで、試聴指示情報は、コンテンツの試聴を指示する旨の情報と、固有識別情報と、ユーザ情報と、試聴用ＵＲＬと、ユーザ端末２０のアドレス情報と、ユーザ側コンテンツ提供装置５０のアドレス情報とを含む。通信部２１は、試聴指示情報を含む試聴指示信号を生成し、ユーザ側再生装置５０に送信する。
【０１１８】
ステップＳ１００において、通信部５１は、ユーザ端末２０から送信された試聴指示信号を受信した場合には、試聴指示信号に含まれる試聴指示情報を制御部５４に出力する。制御部５４は、試聴指示情報に基づいて、試聴要求情報を生成し、通信部５１に出力する。ここで、試聴要求情報は、コンテンツの試聴を要求する旨の情報と、試聴用ＵＲＬと、固有識別情報と、ユーザ情報と、コンテンツ提供装置４０のアドレス情報と、ユーザ側再生装置５０のアドレス情報とを含む。通信部５１は、試聴指示情報を含む試聴要求信号を生成し、コンテンツ提供情報４０に送信する。なお、ユーザＵは、例えばＱＲコードを読み取り可能なユーザ側再生装置５０（例えば、ジュークボックス等）でコンテンツの再生を行いたい場合、ユーザ側再生装置５０に試聴用ＱＲコードを読み取らせる。これにより、ユーザ側再生装置５０は、試聴要求信号をコンテンツ提供情報４０に送信する。
【０１１９】
ステップＳ１１０において、通信部４１は、試聴要求信号を受信し、試聴要求信号に含まれる試聴要求情報をコンテンツ提供部４４及び判定部４７に出力する。判定部４７は、通信部４１から試聴要求情報が与えられた場合には、試聴要求情報に含まれる試聴用ＵＲＬに基づいて、試聴用コンテンツ及び当該試聴用コンテンツに関するコンテンツ情報を特定する。そして、判定部４７は、固有識別情報、ユーザ情報、及びコンテンツ情報に対応する行をユーザ情報管理テーブルから検索する。この結果、判定部４７は、対応する行が検索できなかった場合には、試聴不可判定情報を生成し、コンテンツ提供部４４に出力する。なお、この場合、コンテンツ提供装置４０は、ユーザにユーザ情報の入力を求めてもよい。一方、判定部４７は、対応する行を検索できた場合には、検索した行の試聴フラグが「試聴可」になっているかを判定する。この結果、判定部４７は、試聴フラグが「試聴不可」になっている場合には、試聴不可判定情報を生成し、コンテンツ提供部４４に出力する。一方、判定部４７は、試聴フラグが「試聴可」になっている場合には、試聴許可判定情報を生成し、コンテンツ提供部４５に出力し、再生可能回数を１減少させる。判定部４７は、再生可能回数が０になった場合には、試聴フラグを「試聴不可」に変更する。
【０１２０】
コンテンツ提供部４４は、通信部４１から試聴要求情報が与えられ、かつ、判定部４７から試聴許可判定情報が与えられた場合には、試聴用ＵＲＬが示すコンテンツ、即ち試聴用コンテンツと、固有識別情報と、ユーザ側再生装置５０のアドレス情報と、コンテンツ提供装置４０のアドレス情報とを含む試聴許可情報を生成し、通信部４１に出力する。
【０１２１】
一方、コンテンツ提供部４４は、通信部４１から試聴要求情報が与えられ、かつ、判定部４７から試聴不可判定情報が与えられた場合には、試聴用コンテンツの試聴が不可である旨の情報と、固有識別情報と、ユーザ側再生装置５０のアドレス情報と、コンテンツ提供装置４０のアドレス情報とを含む試聴不可情報を生成し、通信部４１に出力する。
【０１２２】
通信部４１は、試聴許可情報を含む試聴許可信号、または試聴不可情報を含む試聴不可信号を生成し、ユーザ側再生装置５０に送信する。
【０１２３】
ステップＳ１２０において、通信部５１は、試聴許可信号または試聴不可信号を受信し、これらの信号に含まれる情報を制御部５４に出力する。制御部５４は、通信部５１から与えられた情報に応じた情報をコンテンツ再生部５２に再生させる。例えば、制御部５４は、コンテンツ再生部５２にコンテンツを再生させる。これにより、コンテンツ再生部５２は、図１７に示すように、画像５０ａ及び音声５０ｂを出力する。なお、コンテンツの試聴はストリーミング形式で行われる。即ち、再生後に試聴用コンテンツはユーザ側再生装置５０に残らない。ただし、ユーザ側再生装置５０に試聴用コンテンツを残し、ユーザ側再生装置５０は、再生の度にコンテンツ提供装置４０に許可を求めるようにしてもよい。
【０１２４】
なお、ユーザＵは、コンテンツの購入を希望する場合には、ユーザ端末２０を用いて、購入指示信号をユーザ側再生装置５０に送信する。ユーザ側再生装置５０は、これに応じて、購入要求信号をコンテンツ提供装置４０に送信する。コンテンツ提供装置４０は、購入手続き信号をユーザ側再生装置５０に送信し、ユーザ側再生装置５０は、購入手続きを示す画像を再生する。ユーザＵは、これを参照して、入金手続を行なう。その後、コンテンツ提供装置４０は、購入手続完了信号をユーザ側再生装置５０に送信し、ユーザ側再生装置５０は、コンテンツを再生する。なお、コンテンツの再生は、ユーザ端末２０が行ってもよい。
【０１２５】
以上により、本実施形態に係るコンテンツ提供システム１によれば、コンテンツ提供装置４０は、固有識別情報とユーザ情報とが関連したクライアント情報を取得することができるので、固有識別情報及びユーザ情報に応じた処理を行なうことが可能になる。例えば、コンテンツ提供装置４０は、固有識別情報及びユーザ情報を登録したユーザにコンテンツの試聴を許可することができる。また、コンテンツ提供装置４０は、ユーザ情報及び固有識別情報に応じたプロモーション活動、例えば、特定のユーザ層が特定の種類のユーザ端末２０を所有している場合には、そのユーザ層に人気の高いアーティストを起用して、そのユーザ端末２０の新商品の宣伝を行うといったプロモーション活動が可能になる。したがって、コンテンツ提供装置４０は、従来よりもユーザ情報を効果的に使用することができる。これにより、上述したフィードバック事象が生じる可能性が低減される。
【０１２６】
さらに、提供側再生装置３０は、提供側再生装置３０は、ユーザ端末２０から送信されたユーザ情報提供信号を受信した場合に、コンテンツ情報を含むコンテンツ情報報知信号をユーザ端末２０に送信するので、ユーザは、コンテンツ情報に基づいて、コンテンツの概要を把握することができる。これにより、アプローチ事象が生じる可能性が低減される。
【０１２７】
また、ユーザ端末２０に提供されるコンテンツ情報には、コンテンツ提供装置４０が提供するコンテンツの所在を示す情報、即ち試聴用ＵＲＬ及び購入用ＵＲＬが含まれるので、ユーザは、これらのＵＲＬを用いてコンテンツ提供装置４０にアクセスすることで、コンテンツを試聴及び購入し、自己の所望のユーザ側再生装置５０にコンテンツを再生させることができる。これにより、上述したノイズ事象、タイミング事象、及びアプローチ事象が生じる可能性が低減される。
【０１２８】
さらに、提供側再生装置３０は、ユーザ端末２０からコンテンツ情報要求信号を受信した際に、ユーザ情報がコンテンツ提供装置４０に登録されているかを問い合わせる旨の問い合わせ信号をコンテンツ提供装置４０に送信する。そして、提供側再生装置３０は、未登録回答信号を受信した場合には、ユーザ端末２０にユーザ情報を要求する。このため、ユーザは、ユーザ情報がコンテンツ提供装置４０に登録されていない場合、すなわちユーザ情報が必要な場合だけユーザ情報を入力すればよいので、ユーザがユーザ情報を入力する手間が低減される。
【０１２９】
さらに、提供側再生装置３０は、コンテンツ提供装置４０に未登録の属性のうち、提供側再生装置３０に記憶されている属性以外の属性に関するユーザ情報をユーザ端末２０に要求するので、この点でも、ユーザがユーザ情報を入力する手間が低減される。
【０１３０】
さらに、提供側再生装置３０は、ユーザ端末２０からの探索信号を受信した日時に関する情報、即ちアクセス日時情報をコンテンツ提供装置４０に送信するので、コンテンツ提供装置４０は、アクセス日時情報を把握することができる。これにより、コンテンツ提供装置４０は、どの時点でのプロモーション活動が効果的なのかを把握することができるので、プロモーション活動をその後のプロモーション活動にフィードバックさせることができる。例えば、ユーザが頻繁に提供側再生装置３０にアクセスする時間帯が判明した場合には、その時間帯に集中的にプロモーション活動を行なうといったことが可能となる。これにより、フィードバック事象が生じる可能性が低減される。
【０１３１】
さらに、提供側再生装置３０は、自己のアドレス情報もコンテンツ提供装置４０に送信するので、コンテンツ提供装置４０は、どの提供側再生装置３０及び時点でのプロモーション活動が効果的なのかを把握することができる。
【０１３２】
さらに、コンテンツ提供装置４０は、ユーザ端末２０からコンテンツの試聴が要求された場合であっても、コンテンツの試聴を所定回数（再生可能回数の初期値）に制限するので、ユーザによる無制限の試聴を回避することができる。
【０１３３】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３４】
なお、本技術は以下のような構成も取ることができる。
（１）
第１の通信装置に付与された固有の識別情報である固有識別情報と、前記第１の通信装置を使用するユーザに関するユーザ情報とを前記第１の通信装置から受信する受信部と、
前記受信部が受信した前記固有識別情報と前記ユーザ情報とが関連付けられたクライアント情報を第２の通信装置に送信するクライアント情報提供部と、を備える、情報処理装置。
【０１３５】
（２）
前記第２の通信装置から提供されたコンテンツを再生するコンテンツ再生部と、
前記受信部が前記第１の通信装置から送信された前記ユーザ情報を受信した場合に、前記コンテンツに関するコンテンツ情報を前記第１の通信装置に送信するコンテンツ情報提供部と、を備える、（１）記載の情報処理装置。
【０１３６】
（３）
前記コンテンツ情報には、前記第２の通信装置が提供する前記コンテンツの所在を示すアドレス情報が含まれる、（２）記載の情報処理装置。
【０１３７】
（４）
前記受信部が前記第１の通信装置から前記固有識別情報を受信した際に、前記ユーザ情報が前記第２の通信装置に登録されているかを前記第２の通信装置に問い合わせる問い合わせ部と、
前記ユーザ情報が前記第２の通信装置に登録されていない旨の回答が与えられた場合に、前記第１の通信装置に前記対応ユーザ情報を要求する要求部と、を備える、（１）〜（３）のいずれか１つに記載の情報処理装置。
【０１３８】
（５）
前記第１の通信装置から送信された前記ユーザ情報を記憶する記憶部を備え、
前記要求部は、前記ユーザ情報の属性のうち、前記第２の通信装置に未登録の属性に関する情報が前記第２の通信装置からの回答に含まれる場合には、前記未登録の属性のうち、前記記憶部に記憶された前記ユーザ情報の属性以外の属性に関する前記ユーザ情報を前記第１の通信装置に要求する、（４）記載の情報処理装置。
【０１３９】
（６）
前記問い合わせ部は、前記受信部が前記第１の通信装置から前記固有識別情報を受信した時点に関する情報を前記第２の通信装置に送信する、（４）または（５）に記載の情報処理装置。
【０１４０】
（７）
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信する受信部と、
前記コンテンツを前記第２の通信装置に送信するコンテンツ提供部と、
前記受信部が前記クライアント情報を受信した場合に、前記コンテンツに関するコンテンツ情報を前記第２の通信装置に送信するコンテンツ情報提供部と、を備える、情報処理装置。
【０１４１】
（８）
前記コンテンツ情報には、前記コンテンツ提供部が提供する前記コンテンツの所在を示すアドレス情報が含まれ、
前記コンテンツ提供部は、前記第１の通信装置が前記コンテンツにアクセスした場合に、前記コンテンツを前記第１の通信装置が指定した再生装置に送信する、（７）記載の通信装置。
【０１４２】
（９）
前記第１の通信装置の前記コンテンツへのアクセス状況に基づいて、前記ユーザに対する前記コンテンツの再生を許可するかを判定する判定部を備え、
前記コンテンツ提供部は、前記コンテンツの再生が許可された場合に、前記第１の通信装置が指定した再生装置に前記コンテンツを送信する、（８）記載の情報処理装置。
【０１４３】
（１０）
第１の通信装置に付与された固有の識別情報である固有識別情報と、前記第１の通信装置を使用するユーザに関するユーザ情報とを前記第１の通信装置から受信することと、
受信された前記固有識別情報と前記ユーザ情報とが関連付けられたクライアント情報を第２の通信装置に送信することと、を含む、情報処理方法。
【０１４４】
（１１）
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信することと、
前記コンテンツを前記第２の通信装置に送信することと、
前記クライアント情報を受信した場合に、前記コンテンツに関するコンテンツ情報を前記第２の通信装置に送信することと、を含む、情報処理方法。
【０１４５】
（１２）
コンピュータに、
第１の通信装置に付与された固有の識別情報である固有識別情報と、前記第１の通信装置を使用するユーザに関するユーザ情報とを前記第１の通信装置から受信する受信機能と、
前記受信機能が受信した前記固有識別情報と前記ユーザ情報とが関連付けられたクライアント情報を第２の通信装置に送信するクライアント情報提供機能と、を実現させる、プログラム。
【０１４６】
（１３）
コンピュータに、
第１の通信装置との間で通信が可能で、コンテンツの再生が可能な第２の通信装置から、前記第１の通信装置に付与された固有の識別情報である固有識別情報と、前記第１の通信装置を使用するユーザに関するユーザ情報とが関連付けられたクライアント情報を受信する受信機能と、
前記コンテンツを前記第２の通信装置に送信するコンテンツ提供機能と、
前記受信部が前記クライアント情報を受信した場合に、前記コンテンツに関するコンテンツ情報を前記第２の通信装置に送信するコンテンツ情報提供機能と、を実現させる、プログラム。
【符号の説明】
【０１４７】
１０    コンテンツ提供システム
２０    ユーザ端末
３０    提供側再生装置
４０    コンテンツ提供装置
５０    ユーザ側再生装置
６０    ネットワーク
３５    クライアント情報提供部
３６    コンテンツ情報提供部
３７    問い合わせ部
３８    要求部
４４    コンテンツ提供部
４５    コンテンツ情報提供部
４６    クライアント情報取得部
４７    判定部
【図１】
2012216185.tif 000003
【図２】
2012216185.tif 000004
【図３】
2012216185.tif 000005
【図４】
2012216185.tif 000006
【図５】
2012216185.tif 000007
【図６】
2012216185.tif 000008
【図７】
2012216185.tif 000009
【図８】
2012216185.tif 000010
【図９】
2012216185.tif 000011
【図１０】
2012216185.tif 000012
【図１１】
2012216185.tif 000013
【図１２】
2012216185.tif 000014
【図１３】
2012216185.tif 000015
【図１４】
2012216185.tif 000016
【図１５】
2012216185.tif 000017
【図１６】
2012216185.tif 000018
【図１７】
2012216185.tif 000019